(57)【特許請求の範囲】
【請求項１】
上下端付近を残して縦長の板体の長手方向の縁を内方に引っ込め、この引っ込め幅をインデックスの貼代確保用の切欠きとする縦長の板体の長手方向の縁に沿ってインデックスを貼付ける位置を、貼付対象となるインデックスの縦幅と同一長さの細長四角枠をもって均等割り付けで表示し、細長四角枠に並べて縦長の板体の内方に均等割り付けを行う順位の根拠文字を表示し、前記細長四角枠は貼付対象となるインデックスの大きさに対応して小さいものから順に複数を並べて記載し、かつ、前記インデックスを貼付ける位置は、縦長の板体の左右の長手方向の縁に沿って、かつ裏表面の４通りに表示したことを特徴とするインデックス貼付用定規。
【請求項２】
隣接する細長四角枠との間には縦長の板体の長手方向の縁から内方へ伸びる水平な区画線を設ける請求項１記載のインデックス貼付用定規。
【発明の詳細な説明】
【０００１】
【発明の属する技術分野】
本発明は、タックインデックスの貼付用定規に関するものである。
【０００２】
【従来の技術】
図３に示すようにタックインデックスは周知のごとく、裏面を接着材塗布の貼付面とし、中央の折り線１から山折りにする略矩形の紙片からなるもので、表側では、折り線１の左右に四角の枠２で囲った文字表示部３を設け、その外側は白紙の貼付代４としている。
【０００３】
商品販売形態としては、離型台紙に裏面の貼付面を接合して何枚か並べてあるものが、包装用袋に収められており、使用に際しては文字表示部３に記入後離型台紙から剥がして、図４に示すようにリーフ５の各頁毎にまず左右の片面を貼り、２つに折ってもう１面を貼り付ける。
【０００４】
そして、リーフ５の各頁毎ではタックインデックスはその上下位置が重なり合わないようにずらして貼ることになる。
【０００５】
【発明が解決しようとする課題】
しかし、このリーフ５の各頁毎でタックインデックスを上下位置が重なり合わないようにずらして貼る作業はほとんど目視の感に頼って行われており、インデックス相互の間隔を均等にして貼ることが困難で、あるものは重なり合ってしまったり、また、離れ過ぎたりしてバラバラに成りやすい。
【０００６】
特に、上下に重なるリーフ５に対してインデックスは上下に大きな隙間を設けずにかつ、重ならないように位置決めして、連続するように並べることが体裁もよく、好ましいが、実施が困難である。
【０００７】
目盛り付きの定規等を用いて鉛筆などでリーフ５に印を付けて貼る方法もなくはないが、まず、インデックスの大きさを目盛り付きの定規で把握してこれを元に割り付けをしなければならず、しかも各頁構成のリーフ５毎に印付けを行う必要があり極めて面倒である。
【０００８】
なお、インデックスの貼付け位置を示すような定規は従来存在しなかった。
【０００９】
本発明の目的は前記従来例の不都合を解消し、簡単かつ正確に、また、全体の並びを綺麗にしてインデックスを貼付けることができるインデックス貼付用定規を提供することにある。
【００１０】
【課題を解決するための手段】
本発明は前記目的を達成するため、第１に、上下端付近を残して縦長の板体の長手方向の縁を内方に引っ込め、この引っ込め幅をインデックスの貼代確保用の切欠きとする縦長の板体の長手方向の縁に沿ってインデックスを貼付ける位置を、貼付対象となるインデックスの縦幅と同一長さの細長四角枠をもって均等割り付けで表示し、細長四角枠に並べて縦長の板体の内方に均等割り付けを行う順位の根拠文字を表示し、前記細長四角枠は貼付対象となるインデックスの大きさに対応して小さいものから順に複数を並べて記載し、かつ、前記インデックスを貼付ける位置は、縦長の板体の左右の長手方向の縁に沿って、かつ裏表面の４通りに表示したこと、第２に、隣接する細長四角枠との間には縦長の板体の長手方向の縁から内方へ伸びる水平な区画線を設けることを要旨とするものである。
【００１１】
請求項１記載の本発明によれば、縦長の板体をインデックスを貼るべきリーフ（用紙）に重ねると、この縦長の板体に表示した細長四角枠がインデックスを貼るべき位置を示すので、それに従ってリーフにインデックスを貼っていく。このようにすれば、細長四角枠は均等割り付けで表示されているので、細長四角枠の順に各頁毎のリーフにインデックスを貼っていけば、リーフの大きさ（例えばＡ４サイズ）に均等な間隔で綺麗にインデックスを貼付けることができる。なお、インデックスを貼るべき位置はインデックスの大きさに対応した細長四角枠で示されているので、目立ち、見やすく、また、大きさを合わせるのに合わせ易い。
【００１２】
また、上下端付近を残して縦長の板体の長手方向の縁に切欠きを設けることでシートの縁に沿ってインデックスの貼代確保が可能となる。
【００１３】
そして、インデックス貼付けの順番は数字順、あいうえお順、アルファベット順などあるが、細長四角枠に並べて縦長の板体の内方に均等割り付けを行う順位の根拠文字例えば、数字、あいうえお等の仮名文字、ＡＢＣなどのアルファベット、その他を表示することで、これを見ながらインデックスを決めた順に貼付けることができる。
【００１４】
また、細長四角枠は貼付対象となるインデックスの大きさに対応して小さいものから順に複数を並べて記載することで、縦長の板体の１つの長手方向の縁で、例えば、「小」「中」「大」と三種類のインデックスを貼るべき位置を表示できる。
【００１５】
これに加えて、インデックスを貼付ける位置の目安は縦長の板体を左右の長手方向の縁に沿ってかつ裏表面の４通りに表示することで、多種の表示が可能であるとともに定規として縦長の板体を無駄なく利用できる。
【００１６】
請求項２記載の本発明によれば、縁から内方へ伸びる水平な区画線で、細長四角枠と均等割り付けを行う順位の根拠文字との関係、または、複数のインデックスの大きさの群を上下の並びの関係で明瞭に区画することができる。
【００１７】
【発明の実施の形態】
以下、図面について本発明の実施の形態を詳細に説明する。図１は本発明のインデックス貼付用定規の１実施形態を示す表面図、図２は同上裏面図で、図中６は合成樹脂等で作製した厚さの薄い、シート状の縦長の板体である。この縦長の板体６の縦の長さはＡ４版の縦の長さと同じとし、横幅は５，６ｃｍ程度としたが、これに限定されるものではない。また、縦長の板体６は下敷きのように曲げに耐えられる弾性を有する。
【００１８】
前記縦長の板体６の長手方向の縁は左右および表裏でａ〜ｄの４つがあるが、かかる縁ａ〜ｄに沿って細長四角枠７を均等割り付けで配列させた。この細長四角枠７はインデックスを貼付ける位置を表示するものであり、貼付対象となるインデックスの縦幅と同一長さのものである。
【００１９】
タックインデックスには小…１８×２５ｍｍ、中…２３×２９ｍｍ、大…２７×３４ｍｍ、特大４１．５×３４ｍｍというような４種類があるが、細長四角枠７はこれに応じて小、中、大、特大の４種があり、そのうち、貼付対象となるインデックスの大きさである小、中、大に応じて細長四角枠７は縦長の板体６の表面で右側の縁ａに小さいものから順に複数を並べて小、中、大のものを縁ａから内方へ向けて表示した。縁ａでは上下で１０等分して細長四角枠７は１０個を並べた。
【００２０】
また、上からのタックインデックスを並べる順は、均等割り付けを行う順位の根拠として１，２，３…１０のような数字、あ，か，さ…わのような仮名の行、Ａ，Ｂ，Ｃ…のようなアルファベットに基づくが、このような均等割り付けを行う順位の根拠文字８を細長四角枠７に並べて縦長の板体６の内方に表示する。アルファベットの場合は１０個の群で第１番目はＡ，Ｋ，Ｕのごとく順繰りのものとなる。
【００２１】
さらに、上下で隣接する細長四角枠７との間には縦長の板体６の長手方向の縁ａから内方へ伸びる水平な区画線９を設けた。
【００２２】
また、縦長の板体６の長手方向の縁ａには上下端付近を残して内方に引っ込めた切欠き１０を形成した。この切欠き１０による引っ込め幅はインデックスの貼代確保用のものとなるものである。縦長の板体６で、切欠き１０はこれを設けないで長手方向の縁が一直線の場合もある。
【００２３】
縦長の板体６の表面で左側の縁ｂには、特大のタックインデックスに対応する細長四角枠７を５個上下に並べて表示し、それに対応する均等割り付けを行う順位の根拠文字８は数字としてこれを細長四角枠７に並べて縦長の板体６の内方に表示した。
【００２４】
この縁ｂでも隣接する細長四角枠７との間には縦長の板体６の長手方向の縁から内方へ伸びる水平な区画線９を設け、また、切欠き１０を設けるのは前記縁ａの場合と同様である。
【００２５】
なお、この縁ｂでの表示は前記縁ａでの表示とは上下関係（天地）が逆となる。また、両者を区別する色分けをしてもよい。色分けは小、中、大に応じる細長四角枠７についても小、中、大の３種類に行うこともできる。
【００２６】
縦長の板体６の裏面では、図２の右の縁ｃでは、「中」に応じる細長四角枠７を間を開けずに連続して描き、１２個を並べた。均等割り付けを行う順位の根拠文字８は月であり、１月…１２月を細長四角枠７に並べて縦長の板体６の内方に表示する。
【００２７】
縦長の板体６の裏面図２の左の縁ｄでは、「小」に応じる細長四角枠７を間を開けずに連続して描き、これを２０個並べた。均等割り付けを行う順位の根拠文字８は数字であり、１…２０、２１…４０を細長四角枠７に並べて縦長の板体６の内方に表示した。
【００２８】
この縁ｄでの表示は前記縁ｃでの表示とは上下関係（天地）が逆となる。また、両者を区別する色分けをしてもよい。
【００２９】
使用に際しては、縦長の板体６はシートの端の上に重ねて置き、細長四角枠７の位置に順にインデックスをシートの頁毎に貼る。細長四角枠７は順所よく並んでおり、これを目安にインデックスを貼る。また、縁ａ〜縁ｄはそれぞれインデックスの大きさや均等割り付け内容に応じて使い分ける。
【００３０】
【発明の効果】
以上述べたように本発明のインデックス貼付用定規は、簡単かつ正確に、また、全体の並びを綺麗にしてインデックスを貼付けることができるものである。
【図面の簡単な説明】
【図１】本発明のインデックス貼付用定規の１実施形態を示す表面図である。
【図２】本発明のインデックス貼付用定規の１実施形態を示す裏面図である。
【図３】タックインデックスの正面図である。
【図４】タックインデックスの使用例を示す斜視図である。
【符号の説明】
１…折り線                        ２…四角の枠
３…文字表示部                    ４…貼付代
５…リーフ                        ６…縦長の板体
７…細長四角枠                    ８…順位の根拠文字
９…水平な区画線                  １０…切欠き
【図１】
0003571631.tif 000002
【図２】
0003571631.tif 000003
【図３】
0003571631.tif 000004
【図４】
0003571631.tif 000005